(57)【特許請求の範囲】
【請求項１】
ディスクブレーキのブレーキキャリパー（９）用のブレーキピストン（１）であって、前記ブレーキピストン（１）は、金属材料、特に平坦な金属板から、成形プロセスで製造されており、ピストン長手方向軸（Ａ）と、ピストン壁（２）と、ピストンヘッド（３）とを有する片側が開放されたポットとして一体的に形成されており、前記ピストンヘッド（３）の領域において、軸方向の接触面によってブレーキパッドに取り付け可能であって、必要に応じて少なくとも１つのパーキングブレーキ・アクチュエータ用のインターフェースを含んでおり、少なくとも１つの局所的に制限された、即ち部分的に冷間圧造された又は部分的に伸ばされた、ブレーキピストンブランク（１９）の外側円筒状の滑らかなピストン壁セクションが、径方向内側に、部分的に変形した前記ピストン壁（２）を有し、前記ピストン壁セクションは、加工硬化をも含む材料再配分（流動）による塑性材料変形を通じて、そのピストン壁厚（S2,S3,Sn）が適応的に変更されて形成されていることを特徴とするブレーキピストン（１）。
【請求項２】
a) 外側円筒状の前記ピストン壁セクションにおけるピストン外壁が、局所的に制限された態様で、滑らかに且つ溝の無い状態で引っ張られて形成されており、
b) 前記ピストン壁セクションにおけるピストン内壁が、径方向にピストン長手方向軸（Ａ）に向かって、且つ、環状に延びるような態様でc)のように突出する、一体的に形成された壁ブラケット（７）を形成しており、
c) 前記壁ブラケット（７）の前記ピストン壁セクションにおける前記ピストン壁厚（S2）が、局所的に制限された態様で、前記厚くされた壁ブラケット（７）に対してピストン長手方向軸（Ａ）の方向にオフセットして配置された前記ピストン壁セクションの壁厚（S1）に対して何倍も増大されている、
ことを特徴とする、請求項１に記載のディスクブレーキのブレーキキャリパー（９）用のブレーキピストン（１）。
【請求項３】
前記厚くされた壁ブラケット（７）に隣接している２つの前記ピストン壁セクションの前記ピストン壁厚（S1,S3）は、実質的に一致している、ことを特徴とする請求項２に記載のブレーキキャリパー（９）用のブレーキピストン（１）。
【請求項４】
前記厚くされた壁ブラケット（７）は、前記パーキングブレーキ・アクチュエータ用の前記インターフェースを一体化している、ことを特徴とする請求項２又は３に記載のブレーキキャリパー（９）用のブレーキピストン（１）。
【請求項５】
前記壁ブラケット（７）は、テーパを有する少なくとも１つのフランク（１０）を有する、ことを特徴とする請求項２〜４のいずれか１項に記載のブレーキキャリパー（９）用のブレーキピストン（１）。
【請求項６】
前記壁ブラケット（７）は、クラウン状の形状を有する少なくとも１つのフランク（１０）を有する、ことを特徴とする請求項２〜５のいずれか１項に記載のブレーキキャリパー（９）用のブレーキピストン（１）。
【請求項７】
複数の壁ブラケット（７）が、ピストン長手方向軸（Ａ）の方向に互いに間隔をあけて階段状に設けられている、ことを特徴とする請求項２〜６のいずれか１項に記載のブレーキキャリパー（９）用のブレーキピストン（１）。
【請求項８】
前記壁ブラケット（７）の間の前記間隔は同一に形成されている、ことを特徴とする請求項７に記載のブレーキキャリパー（９）用のブレーキピストン（１）。
【請求項９】
前記壁ブラケット（７）の間の前記間隔は異なって形成されている、ことを特徴とする請求項７に記載のブレーキキャリパー（９）用のブレーキピストン（１）。
【請求項１０】
異なる前記壁ブラケット（７）が互いに異なる直径を有し、当該異なる直径は、前記ピストンヘッドに近づくにつれて減少する（カスケーディング）、ことを特徴とする請求項７〜９のいずれか１項に記載のブレーキキャリパー（９）用のブレーキピストン（１）。
【請求項１１】
各壁ブラケット（７）及び／又は径方向にピストン内部（５）へ突出する突出部（１１）が、少なくとも１つの軸方向に向けられた排気チャネル（２０）を形成する、ことを特徴とする請求項７〜１０のいずれか１項に記載のブレーキキャリパー（９）用のブレーキピストン（１）。
【請求項１２】
各壁ブラケット（７）及び／又は径方向にピストン内部（５）へ突出する突出部（１１）が、周方向に互いにオフセットして配置された複数の排気チャネル（２０）を有する、ことを特徴とする請求項７〜１１のいずれか１項に記載のブレーキキャリパー（９）用のブレーキピストン（１）。
【請求項１３】
前記排気チャネル（２０）は、同一のオフセットで、環状の各壁ブラケット（７）及び／又は突出部（１１）に亘って互いに均等に配分されて設けられている、ことを特徴とする請求項１１又は１２に記載のブレーキキャリパー（９）用のブレーキピストン（１）。
【請求項１４】
厚くされた前記壁ブラケット（７）に横方向に隣接し、ピストン長手方向軸（Ａ）に対して横方向に前記ピストンヘッド（３）に向かってオフセットされた、厚くされていない壁厚（Sn）を有する径方向内側にローラーバニシング加工された溝（８）が、ピストン長手方向軸（Ａ）の方向において突出部（１１）が前記ピストン壁（２）に顕著に現れるよう、前記ピストン壁（２）に刻み込まれている、ことを特徴とする請求項２〜１３のいずれか１項に記載のブレーキキャリパー（９）用のブレーキピストン（１）。
【請求項１５】
前記壁ブラケット（７）及び前記突出部（１１）は、径方向（Ｒ)においてそれぞれ異なる深さで、ピストン内部（５）に向けて突出している、ことを特徴とする請求項１４に記載のブレーキキャリパー（９）用のブレーキピストン（１）。
【請求項１６】
前記突出部（１１）は、隣接する前記壁ブラケット（７）よりも小さく形成されている、ことを特徴とする請求項１４又は１５に記載のブレーキキャリパー（９）用のブレーキピストン（１）。
【請求項１７】
以下の特徴を、それぞれ１つ又は任意の組み合わせで具備することを特徴とする、請求項２〜１６のいずれか１項に記載のブレーキキャリパー（９）用のブレーキピストン（１）。
a) 徐々に厚くなる壁厚（Sb）は、金属材料の壁厚（S0）とほぼ一致し、前記壁ブラケット（７）の前記ピストン壁セクションにおける前記ピストン壁厚（S2）よりも小さい。
b) 前記厚くされた壁ブラケット（７）に対してピストン長手方向軸（Ａ）の一の方向にオフセットして配置された前記ピストン壁セクションの壁厚（S3）は、前記厚くされた壁ブラケット（７）に対してピストン長手方向軸（Ａ）の他の方向にオフセットして配置された前記ピストン壁セクションの壁厚（S1）とほぼ等しいか又はそれよりも大きい。
c) 前記壁厚（S2）は、前記壁厚（S3）よりも大きい。
d) 厚くされていない壁厚（Sn）は、前記壁厚（S1）とほぼ等しいか又はそれよりも小さい。
【請求項１８】
請求項１〜１７のいずれか１項に記載された特徴を具備するブレーキキャリパー（９）用の一体的なブレーキピストン（１）を、切削によらずに製造するために、金属材料を成形するための方法及び装置であって、ブレーキピストンのブランク（１９）の円筒状のピストン壁（２）が、ブレーキピストン長手方向軸（Ａ）に平行な軸方向（ａｘ）においてピストンヘッド（３）と自由縁部（１２）との間で、ピストン内部（５）に壁ブラケット（７）を備える局所的に制限された態様で厚くされたブレーキピストン壁セクションを形成するために、引張応力及び／又は圧縮応力の下でクランプされる（押出成形）ことを特徴とする、方法及び装置。
【請求項１９】
請求項１〜１７のいずれか１項に記載された特徴を具備するブレーキキャリパー（９）用の一体的なブレーキピストン（１）を切削によらずに製造するために、金属材料を成形するための方法及び装置であって、移動可能に案内されるよう取り付けられたマンドレル（１４）の段（１３）の外径（Ｄ）は、固定的に取り付けられて配置されたカップ状のブレーキピストンブランク（１９）の未加工状態の内径（ｄ）に対して、過剰に作られており、前記マンドレル（１４）は、その段（１３）によって、前記段（１３）が、ピストン内部に壁ブラケット（７）を備える局所的に制限された態様で厚くされたブレーキピストン壁セクションを隆起させるような態様で、並進的に及びピストン長手方向軸（Ａ）に対して軸方向に、ブレーキピストンブランク（１９）のピストン内部（５）に導入されることを特徴とする、方法及び装置。
【請求項２０】
請求項１８又は１９に記載の一体的なブレーキピストン（１）を切削によらずに製造するために、金属材料を成形するための方法及び装置であって、カップ状のブレーキピストンブランク（１９）を支持及びクランプするための、プレス（Ｐ）の作業スペースに固定的に配置されたメスの押出金型（１８）、並びに、ピストン壁（２）の厚くされた部分及び／又は壁ブラケット（７）を形成するための、前記プレス（Ｐ）によって並進的に及び軸方向に相対移動可能に案内されるように結合されて支持されたマンドレル（１４）の時間的に後からの挿入を特徴とすると共に、前記マンドレル（１４）は、力―ストロークの制御則又は力―時間の制御の下で計量されて前記ブレーキピストンブランク（１９）の前記ピストン内部（１５）内へ導入されることを特徴とする、方法及び装置。
【請求項２１】
請求項１８〜２０のいずれか１項に記載の一体的なブレーキピストン（１）を切削によらずに製造するための、金属材料の成形装置及び成形方法であって、間隔をあけて軸方向に相前後して設けられた複数の階段状の段（１３）を有するマンドレル（１４）を特徴とする、成形方法及び成形装置。
【請求項２２】
請求項１〜１７のいずれか１項に記載された特徴を具備するブレーキキャリパー（９）用の一体的なブレーキピストン（１）を切削によらずに製造するために、ポット状の金属製のブレーキピストンブランク（１９）をローラーバニシング加工するための方法及び装置であって、作業スペース（１６）の内部に、回転可能に支持された内側ローラーバニシング工具（２１）及びブレーキピストンブランク（１９）が設けられており、前記ブレーキピストンブランク（１９）はクランプ装置（２２）内に固定されており、前記クランプ装置（２２）は回転駆動運動、送り運動及び／又は前進運動を実行する、あるいは、その逆であることを特徴とする、方法及び装置。
【発明の詳細な説明】
【技術分野】
【０００１】
本発明は、好ましくはパーキングブレーキ用のインターフェース構成を有する、請求項１の前提部の特徴を具備する冷間成形されたブレーキピストンに関する。
【背景技術】
【０００２】
ピストンヘッド及びピストン壁、並びに、ディスクブレーキの常用ブレーキキャリパーに使用するための適切なインターフェース構成を備えた、ポット状で片側が開放されたブレーキピストンは、基本的に知られている。これらのピストンは、成形プロセスによって得られる。即ち、それらは、単に鋳造及び機械加工されるのではなく、押出成形又は深絞りを用いた成形プロセスによって得られる。常用ブレーキ用のブレーキピストンは、独自の重心及び開発目標のため、複合作動が可能なパーキングブレーキキャリパーへの転用には適していない。例えば、それらのピストンのピストン内部は、摩擦ライニング保持スプリングの係合及び固定のために最適化されており、パーキングブレーキ機構用の如何なるインターフェースも存在しない。
【０００３】
特許文献１から、複合作動が可能なパーキングブレーキキャリパーのための使用を目標とする、成形され、加工硬化され、多部品から組み立てられた、鋼材料から成るパーキングブレーキピストンが知られており、当該ブレーキピストンは、実質的に、片側が開放されたポット状の中空シリンダとして構成されており、底部及びそれと一体的に溝付きのピストン壁を含む。底部は、ポット内部に由来するブレーキ圧力を受けることができ、その結果、底部の外側に向いた接触面が、ブレーキライニングに押し付けられ得る。また、ポット内部は、圧力片としてのカップを収容しており、当該圧力片は、ナットが、円錐面を介した力の伝達を目的として、圧力片を介して間接的に底部に支持されていることにより、パーキングブレーキ機構からの力の流れに組み込まれている。その結果、ブレーキピストンシステムは、常用ブレーキとのインターフェースに加えて、パーキングブレーキ機構との相互作用のための付加的なインターフェース構成を有する。ピストンのピストン壁は、この目的のために、ピストン内で回転しないように固定されて配置された、圧力片のための収容部を有する。この公知の解決策の利点は、本質的に、一方ではピストン壁の負荷を軽減し、他方ではモジュラーピストンシステムを可能とする、圧力片に具現されている。公知の型絞りプロセス（Napfziehverfahren）は、増加するコスト、又は、当該プロセスが基本的に（当初の金属板の厚さに対して）連続的な壁厚の減少を伴い、ピストンヘッドが原則的にピストンシステムの最大の壁厚を有し、それに対してピストン壁が減少されて即ち伸ばされて成形されるという欠点に悩まされている。その結果、容認される設計自由度は、是認可能なコストの下で、不当に制約されていると認識される。
【先行技術文献】
【特許文献】
【０００４】
【特許文献１】欧州特許第２３０４２６５号明細書
【発明の概要】
【発明が解決しようとする課題】
【０００５】
現在、代替的な機能改善された構成のブレーキピストンに対する需要が存在するので、本発明の根底にある課題は、特に効率的に冷間成形により製造可能であり、更に、ピストンガイドとの相互作用におけるインターフェースを通じて力の流れにおける改良された調和を有すると共に、負荷容量に関して増強されており又は十分な負荷容量の下で低減された重量を可能とする、ブレーキピストンを提供することである。この課題はまた、マイクロプロセッサ支援の（ストローク、力及び／又は速度変動）機械式又は油圧式プレスへの適用／相互作用のための適当な成形プロセス又はツール構造の提供にも及ぶ。
【課題を解決するための手段】
【０００６】
この課題は、原則的に特別な圧力片を省略すると共に、切削によらず、部分的に冷間圧造された又は伸ばされた円筒状のピストン壁セクションを基にしたブレーキピストンにおいて初めて解決され、当該セクションは、加工硬化をも含む材料再配分（流動）による塑性材料変形を通じて、その壁厚s1-x（当初の材料／金属板厚さs0に対して）が適応的に変更されて形成される、部分的に変形されたピストン壁を備えている。したがって、本発明は、成形中の不可逆的且つ漸進的な壁厚減少（特に、深絞りにおける壁厚の減少：厚い＞薄い、のような）の原理に結びつくことなく、自由な壁厚構成の下で、薄い部分と厚い部分との間の何回にも亘る転換をも含む制約のない成形を可能とする。本発明の利点は、本発明がその用途において普遍的であり、従って、パーキングブレーキピストンでの適用にも適していることにある。
【０００７】
その際、本発明は、好ましい構成において、主として、以下のa)〜c)によって部分的に厚く形成された壁厚領域（当初の材料／金属板厚s0に対して）に関する。 a）ピストン壁が、あるピストン壁セクションにおいて、局所的に制限された態様で、軸方向に向けられた圧縮及び／又は引張応力により、円筒状に滑らかに且つ溝の無い状態でb)のように引っ張られて形成される。 b）ピストン壁が、前記ピストン壁セクションにおいて、径方向内向きにピストン長手方向軸に向かって、及び、連続的に又は断続的に環状に延びるような態様でc)のように突出する、一体的に成形された壁ブラケットを形成する。 c）前記壁ブラケットの前記ピストン壁セクションにおけるピストン壁厚が、局所的に制限された態様で、横方向に隣接する（横方向にオフセットした）隣接するピストン壁セクションのピストン壁厚に対して何倍も増大されている。本発明によるブレーキピストンの特別な利点は、ピストンガイドシステムとの協働で改善された負荷容量と関連して合理化された製造の下で、容易に且つ安定的に具現された構造にある。ここでの焦点は、材料の押しのけ及び再分配（流動）によってピストン壁の自由縁領域から生じる、特に合目的的に局所的に制限された態様で成形され、その際効率的にバンド状に構築された、ピストン壁厚の増大である。その際、厚さの増大は、ピストン壁における応力集中及び応力最大値を、Barlowの式の法則に従って、効率的に緩和するよう、予め定められている。対応する成形プロセスは、本質的に、少なくとも１つの方法ステップを含み、ピストン壁は、３軸応力状態を生成するために、ブレーキピストン長手方向軸に平行な軸方向において、圧力でクランプされる。これにより、材料容積Vが方向V’に変位する。
【０００８】
同様に材料容積の切削によらない変位を統合する、本発明による代替的な製造プロセスは、特別な内側ローラーバニシング方法（Innenrollierverfahren）にも及ぶ。これは、自由に回転可能に、且つ、好ましくは更に作業スペースにおいて確実に軸オフセットして配置された、ローラーバニシング工具を含む。カップ状のブレーキピストンブランクは、回転可能に駆動されるクランプ装置内で外側からクランプされる。クランプ装置が、駆動回転運動に加えて、ローラーバニシング工具に対する前進運動及び送り運動をも実行することが提案される。しかしながら、更なる代替例においては、ブレーキピストンブランクが回転している間、前進運動及び／又は送り運動の実行がローラーバニシング工具に付随することが考えられる。
【０００９】
ピストン壁厚の増大部にそれぞれ横方向において隣接して、厚くされていない、即ち単純なピストン壁厚が存在すると、本発明による軽量構造コンセプトに寄与する。換言すれば、厚くされた壁ブラケットに横方向において隣接してオフセットして配置された２つのピストン壁セクションは、壁厚に関して減少するように構成されている。更に、好ましくは、２つの横方向にオフセットされたピストン壁セクションにおけるピストン壁厚は、実質的に一致している。
【００１０】
厚くされた壁ブラケットが、更にパーキングブレーキ・アクチュエータ用のインターフェースを一体化する場合、合理的な構造が得られる。各壁ブラケットがテーパを有する少なくとも１つのフランクを有する場合、追加材料の消費を十分に最小限に抑えながら、低減されたノッチ効果の下で、セルフセンタリング特性が得られる。これに代えて又はこれに加えて、壁ブラケットがクラウン状の形状を有するフランクを有する場合、疲労強度値を徐々に変化させることが可能である。
【００１１】
厚くされた壁ブラケットに横方向において隣接し且つピストンヘッドの方向にオフセットして、ピストンヘッドとピストン壁との間の領域における曲げ剛性の安定化のための補強材を設けることができる。例示的に、この補強材は、径方向内向きにローラーバニシング加工された溝であり、当該溝は、ピストン壁がピストン長手方向軸の方向に曲がりくねった径方向内向きに巻かれた突出部を描くように、単純な厚くされていないピストン壁厚と関連してピストン壁に刻み込まれている。
【００１２】
厚くされた壁ブラケット及び径方向における突出部が、ピストン長手方向軸の方向においてピストン内部へそれぞれ異なる深さで突出する場合、システム通気性は積極的に支援される。この関連において、突出部が壁ブラケットより小さく形成されていると好ましい。
【００１３】
したがって、プロセス技術は、主要な製品としてのブレーキピストンとは独立して、即ち物の請求項とは別個に、新規な成形プロセスを実行するための非常に有意義な方法及び装置を相並んで主題として有する従属請求項の特徴によって明らかとなる。
【００１４】
本発明の更なる特徴、利点及び効果は、図面を参照した説明に関連して、下位の請求項から明らかになる。
【図面の簡単な説明】
【００１５】
【図１】原理的な説明を目的として、特許文献１による公知のパーキングブレーキピストンを、拡大された斜視及び断面図で示している。
【図２】本発明によるブレーキピストンの一実施形態の、ほぼ縮尺どおりの長手方向断面図である。
【図３】約2.5倍に拡大された、図２のピストン長手方向断面図である。
【図４】図３のIV部を拡大して壁ブラケットのみを示している。
【図５】厚くされた壁ブラケットを形成するためのマンドレルを使用する、関連する装置構造を有する一構成による、方法、装置及び運動学の、概略的な簡略化した説明図である。
【図６】自由に回転可能に支持された内側ローラーバニシング工具（Innenrollierwerkzeug）及びブレーキピストンブランクの固定された外側クランプを含み、クランプ装置が、回転駆動に加えて、ローラーバニシング工具に対する前進運動及び送り運動をも行う、代替的な製造プロセスを、概略的に簡略化して示している。
【発明を実施するための形態】
【００１６】
図１に関して、理解を容易にし、また、不要な完全な反復を回避するために、特許文献１の記載は、ここにその全体が組み込まれ、それによって、ここでは、既知の関係の僅かな列挙のみで十分である。
【００１７】
図１によるブレーキピストン１は、例えば壁厚s0の平坦な金属板のような金属材料から成形プロセスで製造され、ピストン長手方向軸Ａと、ピストン壁２と、ピストンヘッド３とを備える、片側が開放されたポットとして一体的に形成されている。ピストンヘッド３は、複数の（３つの）点でインターフェースとして機能する。一方において、ピストンヘッド３は、軸方向の接触面によって、象徴的に示されたブレーキパッドのバックプレート４に取り付け可能である。直径方向に対向して配置された側において、ピストンヘッド３はピストン内部５によって油圧空間を画定し、パーキングブレーキ・アクチュエータはピストンヘッド３にも作用する。この目的のために、ピストン内部５には、円錐面を備える薄い壁の別個のカップ６が設けられており、当該カップは、ブレーキピストン１を含めて２つの部品として形成されている。カップ６は、ブレーキピストン１のように、成形プロセスにおいて、特に平坦な金属板のような金属材料から製造されている。ピストン壁２は、均一な壁厚sを有する。ピストンヘッド３は、ピストン壁２と比較して、徐々に厚くなる壁厚sbを有するものとして具現されている。
【００１８】
図２〜４は、以下のように、新規に且つ本発明によって形成されたブレーキピストン１の更なる詳細を明示している。ピストン壁２は、好ましくは、ピストンヘッド３と軸方向における自由縁部との間でクランプされることにより、圧力下に置かれる。その結果、金属材料中に３軸応力状態が誘起され、材料粒子が液体のように移動するに至り得る。それにより、ピストン壁２は、局所的に制限された円筒状のピストン壁セクションにおいて、外向きに、円筒状に滑らかに且つ溝の無い状態で引かれて形成される。ピストン壁２は、材料粒子の移動の結果として、限定された区域において局所的に、一体的に形成された壁ブラケット７を有する壁セクションを形成し、当該壁ブラケットは、壁ブラケット７のピストン壁セクションにおける壁厚s2が局所的に何倍にも増大されるよう、ピストン長手方向軸Ａの方向に対して径方向に、原則として環状に延びるように突出している。この壁厚の差は、厚くされた壁ブラケット７に横方向に隣接して存在する、即ち厚くされたブラケットに対して横方向にオフセットして配置されたピストン壁セクションにおける最小のピストン壁厚s1に関して、それぞれ適用される。横方向にオフセットされたピストン壁セクションは、互いに直接的に比較して、自由に異なる又は同一に適合された壁厚s1,s3を有することができる。いずれにせよ、これらの壁セクションは、厚くされた部分よりも薄く構成されている。壁厚s2を有する厚くされた壁セクションの寸法は、その際、例えば好ましくは、厚くされていない「標準壁厚」s1の実質的に約0.1〜10倍の範囲である。更に、それぞれ単独で又は壁厚の相互関係、比率及び寸法に関して組み合わせて、以下のガイドラインが提示される：a) Sbは、ストリップ初期厚さSoにほぼ相当し、S2よりも小さい；b) S3は、S1にほぼ等しいか又はそれよりも大きい；c) S2は、S3よりも大きい；d) Snは、S1にほぼ等しいか又はそれよりも小さい。
【００１９】
厚くされた壁ブラケット７は、好ましい構成において、パーキングブレーキ・アクチュエータ用のインターフェースを組み込むよう、調整され決定されている。その際、壁ブラケット７は、円錐面又はクラウンを有する少なくとも１つのフランク１０を有する。好ましい変形例では、厚くされた壁ブラケット７に横方向に隣接し、ピストン長手方向軸Ａに対して横方向にピストンヘッド３の方向にオフセットされた、壁厚snを有する径方向内向きにローラーバニシング加工された溝８が、ピストン長手方向軸Ａの方向において突出部１１がピストン壁２に顕著に現れるよう、ピストン壁２に刻み込まれている。壁ブラケット７及び隣接する突出部１１は、高さが異なっている。その結果、これらは、径方向Ｒで見てそれぞれ異なる深さで、ピストン内部５内に（ピストン長手方向軸Ａに向かって）突出する。突出部１１は、壁ブラケット７と同じく、「より小さく」又はより大きく、形成され得る。
【００２０】
製造は、第１の解決策においては、図２にその基本が明示されているように、カップ状に冷間成形されたブレーキピストンブランクである円筒状のピストン壁２が、ピストン内部５に壁ブラケット７を有する局所的に制限された態様で厚くされたブレーキピストン壁セクションを形成するために、ピストンヘッド３と自由縁部１２との間で、ピストン長手方向軸Ａに平行な軸方向axにおいて、引張応力及び／又は圧縮応力の下でクランプされる（押出成形）という方法で、押出成形により行われる。メス／オスの押出金型又はスライド、カウンタ又はブランクホルダー、圧力パッド、ダイ又は他の可能な治具及び構成要素は、簡略化のために省略されている。
【００２１】
以下、図５を併せて参照する。この他の製造方法も、カップ状に冷間成形されたブレーキピストンブランクの更なる加工に基づいている。この場合、並進移動可能に案内されるよう支持されたマンドレル１４の段１３の外径Dは、固定的に支持されたカップ状のブレーキピストンブランクのピストン内部５の内径dに対して、過剰に作られている。マンドレル１４は、その段１３（ダイ）によって、ピストン長手方向軸Ａに対して並進方向及び軸方向に、ブレーキピストンブランクのピストン内部５に導入される。それにより、段１３は、成形ダイ／材料の押しのけ工具のように作用し、ピストン内部５の壁ブラケット７を含む局所的に制限された態様で厚くされたブレーキピストン壁セクションを波頭状に（bugwellenartig）隆起させる。
【００２２】
図５は、作業スペース１６内で並進的に可逆的に案内されるラム１７を用いて、力―ストローク又は力―速度の制御則によってマイクロプロセッサ制御される油圧プレスＰの作業スペース１６のテーブル１５を明示している。テーブル１５の上には、メスの押出金型１８が固定されている。メスの押出金型１８は、カップ状に冷間成形されたブレーキピストンブランク１９を支持及びクランプするために用いられる。ラムガイドによって並進的に及び軸方向に相対移動可能に案内されるように支持されたマンドレル１４の前進の結果として、ピストン内部５に、局所的に厚くされた部分及び／又は壁ブラケット７が隆起する。このプロセスでは、マンドレル１４は、好ましくは、変動する力―ストローク又は力―速度の制御則の下で、制御された態様で計量されてブレーキピストンブランク１９のピストン内部１５に導入される。
【００２３】
必要に応じて、ピストン壁２には、複数の厚くされたセクション又は壁ブラケット７が設けられ、これらは、並んで、即ち互いに間隔をあけて、配置されている。これらのセクション又はブラケットの直径は、階段状となっていることが可能である。１つの工具を用いた１つの加工工程でこれを形成するために、マンドレル１４は、それぞれが間隔をあけて軸方向に相前後して設けられた複数の対応する階段状の段１３を備えることができる。
【００２４】
マンドレル１４を用いた深絞り状の内部加工に代えて、径方向外向きに内壁に作用する偏心的に回転する態様で支持された（軸A’、軸オフセットΔ）ローラーバニシング工具２１を用いて、ローラーバニシング加工により、輪郭付けされた回転対称の内部輪郭を具現することが可能である。その際、壁厚の変化、即ち材料の押しのけは、本質的に、相応して適合する圧力調整に関連して、軸オフセットして回転可能に配置されたローラーバニシング工具２１とブレーキピストンブランク１９との間での、協調的に制御された前進運動及び送りによって生成される。これに関連して、図６から、一例として、ポット状の金属製ブレーキピストンブランク１９をローラーバニシング加工するためのローラーバニシング工具２１による対応する方法が明らかになる。したがって、作業スペース１６の内部に、自由に回転可能に支持された内側ローラーバニシング工具２１が、軸オフセットされて配置されている（軸オフセットΔ）。ローラーバニシング工具は、径方向外向きに送られ得る、緩く、自由に回転可能に支持されたローラとして存在することができる。ポット状の、好ましくは深絞りされたブレーキピストンブランク１９は、ピストン長手方向軸Ａを維持した状態でクランプ装置２２内に固定、即ち外側からクランプされている。その際、クランプ装置２２は、回転駆動運動及び送り運動を実行し、また、軸オフセットして配置されたローラーバニシング工具２１に対する前進運動も実行する。この配置の利点は、ローラーバニシング工具は固定されており、即ち如何なる調整運動も経験しないが、それに反して、クランプ装置のみが駆動回転運動並びに送り及び前進運動を実行することにある。しかしながら、上述したように、所望であれば、核心的な思想を離れることなく、ブレーキピストンブランクがそのクランプ装置２２の内部で回転している間に、ローラーバニシング工具２１によって送り及び／又は前進運動が実行されることも可能である。
【符号の説明】
【００２５】
１    ブレーキピストン
２    ピストン壁
３    ピストンヘッド
４    バックプレート
５    ピストン内部
６    カップ
７    壁ブラケット
８    溝
９    ブレーキキャリパー
１０  フランク
１１  突出部
１２  縁部
１３  段
１４  マンドレル
１５  テーブル
１６  作業スペース
１７  ラム
１８  メスの押出金型
１９  ブレーキピストンブランク
２０  排気チャネル
２１  （内側）ローラーバニシング工具
２２  クランプ装置
Ａ    ピストン長手方向軸
Ａ’  軸（ローラバニシング工具２１）
ax    軸方向
R     径方向
F     （プレス）力
s0-sx  壁厚
V,V’  材料容積
D,d    直径
P      プレス  
Δ     軸オフセット（ブレーキピストンブランク１９とローラーバニシング工具２１との間の軸オフセット）
【図１】
0006914434.tif 000002
【図２】
0006914434.tif 000003
【図３】
0006914434.tif 000004
【図４】
0006914434.tif 000005
【図５】
0006914434.tif 000006
【図６】
0006914434.tif 000007